(57)【要約】【課題】  ガラス本体を嵌め込む枠体を不要として、それらの表面に段差の生じるのを防止するとともに、ガラス面を最大に露出させて、床面と天井間に、ガラスパネルを見栄えよく建付けする。【解決手段】  ガラスパネル１が、方形平板状のガラス本体２と、その上下両端部の裏面に固着されたガラス本体２の幅方向を向く上下１対のフレーム３、４とからなり、この上下１対のフレーム３、４を、床面Ｆと天井Ｒに設けたパネル支持体９、１０の前面に、固定手段６、２５をもって取付けることにより、ガラス本体２のほぼ全面を前方に露出させるとともに、その上下の端面が床面Ｆと天井Ｒとに近接するように建付ける。【選択図】  図３
2006200247.tif 000002
【特許請求の範囲】
【請求項１】
床面と天井との間にガラスパネルを建付ける建付け構造であって、前記ガラスパネルが、方形平板状のガラス本体と、その上下両端部の裏面に固着されたガラス本体の幅方向を向く上下１対のフレームとからなり、この上下１対のフレームを、床面と天井に設けたパネル支持体の前面に、固定手段をもって取付けることにより、前記ガラス本体のほぼ全面を前方に露出させるとともに、その上下の端面が床面と天井とに近接するように建付けたことを特徴とするガラスパネルの建付け構造。
【請求項２】
上下１対のフレームを、高粘着性の両面接着テープにより、ガラス本体の裏面に固着してなる請求項１記載ガラスパネルの建付け構造。
【請求項３】
固定手段を、フレームに後向きに固着され、パネル支持体に設けた通孔に挿通されるボルトと、このボルトのパネル支持体よりの突出部に螺合されるナットとからなるものとした請求項１または２記載のガラスパネルの建付け構造。
【請求項４】
上部のフレームの上端および下部のフレームの下端に、ガラス本体の上下の端面と対向する長さの水平片を連設し、この水平片とガラス本体の端面との間に緩衝材を挟入してなる請求項１〜３のいずれかに記載のガラスパネルの建付け構造。
【請求項５】
下部のパネル支持体に、ガラスパネルの下部のフレームを上下動可能に支持する高さ調節手段を設けた請求項１〜４のいずれかに記載のガラスパネルの建付け構造。
【請求項６】
複数のガラスパネルを並べて建付ける際において、互いに隣接するガラスパネルにおけるガラス本体の対向端部同士を、塞ぎ材の左右両側面に形成された上下方向を向く凹溝に嵌合した請求項１〜５のいずれかに記載のガラスパネルの建付け構造。
【請求項７】
上下のフレームの上下寸法を、上下のパネル支持体を前方からほぼ覆いうる大きさとしてなる請求項１〜６のいずれかに記載のガラスパネルの建付け構造。
【発明の詳細な説明】
【技術分野】
【０００１】
本発明は、室内を仕切るガラスパネルの建付け構造に関する。
【背景技術】
【０００２】
この種のガラスパネルの従来の建付け構造としては、枠体にガラスを嵌め込んで形成されたガラスパネルを、床面に設けたパネル受けにより支持し、互いに隣接するガラスパネルを、支柱（スタッド）を介して、床面と天井間に建付けした構造のもの（例えば特許文献１参照）や、ガラスパネルの上下の端部を、床面と天井とに取付けた上枠材（上部レール）と下枠材（下部レール）との対向面に嵌合して建付けした構造のもの（例えば特許文献２参照）などがある。
【特許文献１】実開平５−７３１１８号公報
【特許文献２】特開２００３−２６４５０号公報
【発明の開示】
【発明が解決しようとする課題】
【０００３】
上記特許文献１に記載されているガラスパネルの建付け構造では、ガラス本体が枠体の内面の凹溝に嵌め込まれているため、ガラス面と枠体の表面との間に段差が生じ、間仕切パネルとしての見栄えが悪い。
【０００４】
また、ガラスパネルの上端と天井との間には笠木が、同じく下端と床面との間には巾木が、それぞれ設けられており、それらが大きく露呈して見栄えが悪くなるだけでなく、ガラス本体の上下の領域が小さくなるため、ガラス面を室内側や通路側に最大に露出させて、見栄えを向上させたり、意匠的効果を高めたりすることはできない。
【０００５】
特許文献２に記載されているものにおいても、ガラス本体の周端部は、上下の枠材と側枠材の凹溝に嵌め込まれているため、ガラス面と枠材の表面との間に段差が形成され、見栄えが悪い。
また、上下の枠材が大きく露呈しているため、上記と同様、ガラス面を室内側等に大きく露出させて見栄えを向上させたりすることもできない。
【０００６】
本発明は、上記問題点に鑑みてなされたもので、ガラス本体を嵌め込む枠体を不要として、それらの表面に段差の生じるのを防止するとともに、床面と天井との間に、ガラス面を最大に露出させて建付けすることにより、見栄えを向上させうるようにしたガラスパネルの建付け構造を提供することを目的としている。
【課題を解決するための手段】
【０００７】
本発明によると、上記課題は、次のようにして解決される。
(１) 床面と天井との間にガラスパネルを建付ける建付け構造であって、前記ガラスパネルが、方形平板状のガラス本体と、その上下両端部の裏面に固着されたガラス本体の幅方向を向く上下１対のフレームとからなり、この上下１対のフレームを、床面と天井に設けたパネル支持体の前面に、固定手段をもって取付けることにより、前記ガラス本体のほぼ全面を前方に露出させるとともに、その上下の端面が床面と天井とに近接するように建付ける。
【０００８】
(２)  上記(１)項において、上下１対のフレームを、高粘着性の両面接着テープにより、ガラス本体の裏面に固着する。
【０００９】
(３)  上記(１)または(２)項において、固定手段を、フレームに後向きに固着され、パネル支持体に設けた通孔に挿通されるボルトと、このボルトのパネル支持体よりの突出部に螺合されるナットとからなるものとする。
【００１０】
(４)  上記(１)〜(３)項のいずれかにおいて、上部のフレームの上端および下部のフレームの下端に、ガラス本体の上下の端面と対向する長さの水平片を連設し、この水平片とガラス本体の端面との間に緩衝材を挟入する。
【００１１】
(５)  上記(１)〜(４)項のいずれかにおいて、下部のパネル支持体に、ガラスパネルの下部のフレームを上下動可能に支持する高さ調節手段を設ける。
【００１２】
(６)  上記(１)〜(５)項のいずれかにおいて、複数のガラスパネルを並べて建付ける際において、互いに隣接するガラスパネルにおけるガラス本体の対向端部同士を、塞ぎ材の左右両側面に形成された上下方向を向く凹溝に嵌合する。
【００１３】
(７)  上記(１)〜(６)項のいずれかにおいて、上下のフレームの上下寸法を、上下のパネル支持体を前方からほぼ覆いうる大きさとする。
【発明の効果】
【００１４】
請求項１記載の発明によれば、床面と天井との間に、ガラスパネルを、そのガラス本体のほぼ全面を前方に露出させ、かつ上下両端を床面と天井に近接して建付けられているため、ガラス面が床面と天井間に最大に露出することとなり、見栄えや意匠的的効果が高まる。
また、ガラス本体を嵌め込む枠体等が不要となるため、それらの表面に段差が生じることがなく、前面をフラットなガラス面として見栄えを向上させることができる。
さらに、床面及び天井に設けたパネル支持体が、ガラスパネルのフレームにより、前方から透けて見えにくくなるため、見栄えがより向上する。
【００１５】
請求項２記載の発明によれば、ガラス本体とフレームとを、ねじ等の固定手段を用いることなく簡単かつ強固に固着しうるとともに、ねじ等が外部に露呈しないので見栄えがよくなる。
【００１６】
請求項３記載の発明によれば、ガラスパネルのフレームに予め固着されたボルトを、パネル支持体に設けた通孔に挿通し、ナットにより締付けるだけで建付けしうるので、それに要する施工時間が大幅に短縮される。
【００１７】
請求項４記載の発明によれば、ガラスパネルが、搬送中や地震等により上下に振動しても、その振動は緩衝材により吸収されるので、ガラス本体が破損する恐れはない。
【００１８】
請求項５記載の発明によれば、ガラスパネルと床面又は、天井との間の隙間を、高さ調節手段により最適に調節することができる。
【００１９】
請求項６記載の発明によれば、互いに隣接するガラスパネルにおけるガラス本体の対向面に形成される隙間を、塞ぎ材により体裁よく塞ぐことができる。
【００２０】
請求項７記載の発明によれば、上下のパネル支持体が上下のフレームによりほぼ覆われ、前方から透けて見えなくなるので、見栄えがより一層向上する。
【発明を実施するための最良の形態】
【００２１】
以下、本発明の実施形態を、図面に基づいて説明する。
図１は、本発明を適用して、室内の床面(Ｆ)と天井(Ｒ)との間に建付けされた複数のガラスパネルの正面図、図２は、図１のII−II線拡大横断平面図、図３は、同じくIII−III線拡大縦断側面図、図４は、ガラスパネル単体の拡大縦断側面図である。
【００２２】
図４に示すように、各ガラスパネル(１)は、縦長矩形平板状のガラス本体(２)と、ステンレス等よりなる倒立Ｌ字状断面の上部フレーム(３)と、これと上下対称をなすステンレス等のＬ字状断面の下部フレーム(４)とを備えている。
【００２３】
上部フレーム(３)と下部(４)の左右寸法は、ガラス本体(２)の左右幅と等しく、ガラス本体(２)の板厚とほぼ等しい寸法の水平片(3a)(4a)を、ガラス本体(２)の上下の端面と所要寸法離間して対向するように、垂直片(3b)(4b)の前面が、高粘着性を有する厚手の構造用両面接着テープ(５)により、ガラス本体(２)の上下両端部裏面に接着されている。接着後において、上下のフレーム(３)(４)の水平片(3a)(4a)における上下両端面間の寸法は、床面(Ｆ)と天井(Ｒ)間の離間寸法より若干小となるようにしてある。
また、上下のフレーム(３)(４)の上下寸法は、後記する上下のパネル支持体(９)(10)の上下寸法とほぼ等しくしてある。
【００２４】
上記両垂直片(3b)(4b)には、これをガラス本体(２)に接着する前に、左右複数個の皿ボルト(６)(６)が後向きに挿通されて、その頭部が溶接等により固着されている。
【００２５】
上下のフレーム(３)(４)の水平片(3a)(4a)とガラス本体(２)の端面との間の隙間には、比較的硬質のゴム等よりなる緩衝材(７)(７)が挟入され、その前部の隙間は、コーキング材(８)(８)により塞がれている。
【００２６】
ガラスパネル(１)は、このように構成され、各構成部材を予め組付けた状態で、工場等より施工現場に出荷される。
複数のガラスパネル(１)を床面(Ｆ)と天井(Ｒ)との間に左右方向に並べて建付けするには、まず図３に示すように、床面(Ｆ)と天井(Ｒ)とに、それぞれ下部パネル支持体(９)と上部パネル支持体(10)とを対向状に取付ける。
【００２７】
下部パネル支持体(９)は、左右方向に長い側面視上向コ字状断面の支持ベース(11)と、その上面と前後両面の全長を覆うようにして、上下に摺動可能に跨嵌された下向コ字状断面のパネル支持杆(12)と、このパネル支持杆(12)の上面と後面とを覆う側面視倒立Ｌ字状断面をなすカバー(13)とを備え、支持ベース(11)は、左右複数のアンカボルト(14)により床面(Ｆ)に固定されている。
【００２８】
カバー(13)は、左右複数個の皿ねじ(15)により、パネル支持杆(12)に着脱可能に固定されている。
【００２９】
支持ベース(11)の内部には、１枚のガラスパネル(１)に対して例えば左右２個ずつの高さ調節手段(16)が収容されている。
【００３０】
高さ調節手段(16)は、支持ベース(11)の内底面に載置された受け板(17)の上面に、下端が回転自在に受支されている調節ボルト(18)と、このボルト(18)に上下移動自在に嵌合され、下面に固着されたナット(19)を調節ボルト(18)に螺合してなる側面視ほぼ上向コ字状の昇降部材(20)とからなり、この昇降部材(20)の前後の上端には、パネル支持杆(12)の下面を支持する水平支持片(20a)(20a)が、対向状に連設されている。
【００３１】
調節ボルト(18)をドライバ等により回転すると、昇降部材(20)がねじ送り作用で相対的に昇降することにより、両水平支持片(20a)に支持されているパネル支持杆(12)が、支持ベース(11)に対し昇降することとなる。
【００３２】
なお、調節ボルト(18)をドライバにより回転する際は、カバー(13)の取付前において、パネル支持杆(12)の上面に形成された開口(21)を通して行いうるようになっている。
【００３３】
上部パネル支持体(10)は、左右長が下部パネル支持体(９)と等長をなす側面視逆Ｌ字状断面をなし、その水平片(10a)の複数個所を、天井(Ｒ)より垂下するボルト(22)に挿通し、ナット(23)により締付けることにより、天井(Ｒ)の下面に固着されている。
【００３４】
このようにして、下部パネル支持体(９)と上部パネル支持体(10)を、床面(Ｆ)と天井(Ｒ)とに取付けたのち、ガラスパネル(１)の上下のフレーム(３)(４)における垂直片(3b)(4b)に予め固着しておいた左右複数の皿ボルト(６)を、下部パネル支持体(９)のパネル支持杆(12)の前部の下向取付片(12a)と、上部パネル支持体(10)の下向取付片(10b)とに穿設された通孔(24)(24)に挿通し、後方よりナット(25)により締付ける。
【００３５】
これにより、床面(Ｆ)と天井(Ｒ)との間に、１枚のガラスパネル(１)が、上下のフレーム(３)(４)の水平片(3a)(4a)が天井(Ｒ)と床面(Ｆ)に近接した状態で建付けされる。
ついで、２枚目以上のガラスパネル(１)を並べて建付ける際には、図１及び図２に示すように、互いに隣接するガラスパネル(１)におけるガラス本体(２)の対向端部同士を、平面視ほぼエ字状断面をなす塞ぎ材(26)における両側部の凹溝(26a)(26a)に嵌合し、上記１枚目のガラスパネル(１)と同じ要領で上下のパネル支持体(９)(10)に取付ける。これにより、床面(Ｆ)と天井(Ｒ)間に複数のガラスパネル(１)を順次建付けることができる。
【００３６】
全てのガラスパネル(１)を建付けたのち、高さ調節手段(16)を操作することにより、各ガラスパネル(１)同士の上下方向の位置調節や、床面(Ｆ)と天井(Ｒ)との間の隙間調節等を行うことができる。
【００３７】
なお、この調節作業を行いうるように、支持ベース(11)の前部の上向片(11a)には、皿ボルト(６)及びナット(25)が上下動しうる逃げ溝(27)が形成され、また上部パネル支持体(10)の通孔(24)は、上下方向を向く長孔としてある（図３参照）。
【００３８】
下部パネル支持体(９)のカバー(13)は、全てのガラスパネル(１)の位置調節を終えた後に取付けられる。
【００３９】
以上説明したように、上記実施形態のガラスパネルの建付け構造においては、ガラスパネル(１)を室内を仕切る間仕切パネルとし、ガラスパネル(１)の前面側を仕切られた室内側、もしくは通路側に面するようにした際に、下部パネル支持体(９)及び上部パネル支持体(10)は、ガラスパネル(１)の正面から見えにくいだけでなく、ガラス本体(２)の上下の端部に固着した上下のフレーム(３)(４)も、正面に大きく露呈しないので、正面から見たときの見栄えが向上する。しかも、床面(Ｆ)と天井(Ｒ)に従来のような巾木や笠木を設ける必要がなく、床面(Ｆ)と天井(Ｒ)との間に、ガラス面を最大に露出させて建付けることができるので、見栄えや意匠的効果が高まる。
【００４０】
また、ガラス本体(２)の上下の端部の裏面が、倒立Ｌ字状及びＬ字状をなす上下のフレーム(３)(４)の垂直片(3b)(4b)に、両面接着テープ(５)を用いて接着されており、従来のようなガラス本体を嵌め込む枠材が不要であるため、上下のフレーム(３)(４)とガラス本体(２)との表面に段差が生じることはなく、それらを同一面として、見栄えをさらに向上することができる。
【００４１】
さらに、ガラスパネル(１)は、全ての部材が予め組付けられており、施工現場において上下のパネル支持体(９)(10)に固定するだけでよいので、建付けに要する施工時間が大幅に短縮される。
【００４２】
上下のフレーム(３)(４)とガラス本体(２)の上下の端面との間には、ゴム等よりなる緩衝材(７)が挟入されているため、搬送中もくは地震等により上下に振動しても、ガラス本体(２)が破損するのが防止される。
【００４３】
なお、下部パネル支持体(９)に設けた高さ調節手段(16)は、省略して実施することもある。
また、高さ調節手段(16)を省略した際には、パネル支持体(12)も省略し、支持ベース(11)の前部の上向片(11a)に、ガラスパネル(１)の下部フレーム(４)を直接固定してもよい。
【００４４】
カバー(13)を省略し、パネル支持杆(12)の開口(21)のみに、キャップ状のカバーを止着してもよい。
ガラス本体(２)が小型で軽量である場合には、上下のフレーム(３)(４)の水平片(3a)(4a)を省略し垂直片(3b)(4b)のみとすることもある。
【図面の簡単な説明】
【００４５】
【図１】本発明を適用して建付けされた複数のガラスパネルの正面図である
【図２】図１のII−II線拡大横断平面図である。
【図３】同じく、III−III線拡大縦断側面図である。
【図４】ガラスパネルの拡大縦断側面図である。
【符号の説明】
【００４６】
(１)ガラスパネル
(２)ガラス本体
(３)上部フレーム
(４)下部フレーム
(3a)(4a)水平片
(3b)(4b)垂直片
(５)両面接着テープ
(６)皿ボルト
(７)緩衝材
(８)コーキング材
(９)下部パネル支持体
(10)上部パネル支持体
(10a)水平片
(10b)下向取付片
(11)支持ベース
(11a)上向片
(12)パネル支持杆
(12a)下向取付片
(13)カバー
(14)アンカボルト
(15)皿ねじ
(16)高さ調節手段
(17)受け板
(18)調節ボルト
(19)ナット
(20)昇降部材
(20a)水平支持片
(21)開口
(22)ボルト
(23)ナット
(24)通孔
(25)ナット
(26)塞ぎ材
(26a)凹溝
(27)逃げ溝
【図１】
2006200247.tif 000003
【図２】
2006200247.tif 000004
【図３】
2006200247.tif 000005
【図４】
2006200247.tif 000006